(57)【要約】【課題】製品のライフステージの定義がメーカ毎に異なる場合でも、サプライヤがライフステージにおける投入および排出のデータをメーカ毎に登録する必要をなくす。【解決手段】記憶部２０には、部品情報、工程情報、および、製品のライフステージに割り当てる基本工程の情報（ステージ定義情報）が記憶されている。工程情報は、環境負荷項目の情報、対象工程に対応する基本工程の情報、および、対象工程が紐付けられた部品の情報を有する。基本工程とは所定の規則に従って定義された製品の製造に関する工程であり、各ユーザに共通の定義情報である。演算部１０は、各部品の部品情報を用いて指定製品を構成する各部品を特定し、特定した各部品に紐付けられている各工程情報を検索し、ステージ定義情報を用いて検索した各工程情報をライフステージ毎に分類して、各工程情報に含まれている環境負荷項目の情報を各ライフステージ毎に集計する。【選択図】図１
2006127482.tif 000002
【特許請求の範囲】
【請求項１】
製品の各ライフステージにおける環境負荷情報を集計する環境負荷集計装置であって、
製品を含む各部品の情報であり、当該部品の親子関係にある他の部品の情報を含む部品情報が記憶された部品情報記憶手段と、
製品を含む部品の提供者によって定義された部品の製造に関する工程の情報であり、当該工程において環境に影響を与える環境負荷項目の情報と、所定の規則に従って定義された製品の製造に関する各基本工程のうち当該工程に対応する基本工程の情報と、当該工程が紐付けられた部品の情報と、を有する工程情報が記憶された工程情報記憶手段と、
製品の提供者によって定義された製品のライフステージの情報であり、当該ライフステージに割り当てる基本工程の情報を有するステージ定義情報が記憶されたステージ定義情報記憶手段と、
製品の指定を受け付け、指定製品の各ライフステージにおける環境負荷情報を集計する環境負荷情報集計手段と、を有し、
前記環境負荷情報集計手段は、
前記部品情報記憶手段に記憶されている各部品の部品情報を用いて、前記指定製品を構成する各部品を特定する処理と、前記特定した各部品に紐付けられている各工程情報を前記工程情報記憶手段から検索する処理と、前記ステージ定義情報記憶手段に記憶されている前記指定製品の提供者のステージ定義情報を用いて、前記検索した各工程情報を当該工程情報に含まれている基本工程が割り当てられているライフステージに分類する処理と、前記検索した各工程情報に含まれている環境負荷項目の情報をライフステージ毎に集計する処理と、を実行すること
を特徴とする環境負荷集計装置。
【請求項２】
請求項１に記載の環境負荷集計装置であって、
製品の製造に関する各基本工程の情報が記憶された基本工程記憶手段と、
前記ステージ定義情報記憶手段にステージ定義情報を登録するステージ定義情報登録手段と、をさらに有し、
前記ステージ定義情報登録手段は、
前記基本工程情報記憶手段に記憶された各基本工程の情報を出力して、製品のライフステージに割り当てる基本工程の選択を受け付ける処理と、当該ライフステージに割り当てた基本工程の情報を有するステージ定義情報を前記ステージ定義情報記憶手段に登録する処理と、を実行すること
を特徴とする環境負荷集計装置。
【請求項３】
請求項１に記載の環境負荷集計装置であって、
製品の製造に関する各基本工程の情報が記憶された基本工程記憶手段と、
基本工程毎に、当該基本工程で考慮すべき環境負荷項目が記憶された環境負荷項目記憶手段と、
前記工程情報記憶手段に工程情報を登録する工程情報登録手段と、をさらに有し、
前記工程情報登録手段は、
前記部品情報記憶手段に記憶された各部品の部品情報を出力して、登録すべき工程を紐付ける部品の選択を受け付ける処理と、前記基本工程情報記憶手段に記憶された各基本工程の情報を出力して、登録すべき工程に対応付ける基本工程の選択を受け付ける処理と、選択された基本工程に対応付けられて前記環境負荷項目記憶手段に記憶されている環境負荷項目を出力して、登録すべき工程に設定する環境負荷項目の情報の入力を受け付ける処理と、選択された部品、基本工程、および、入力された環境負荷項目の情報を含む工程情報を前記工程情報記憶手段に登録する処理と、を実行すること
を特徴とする環境負荷集計装置。
【請求項４】
請求項１乃至３のいずれか一項に記載の環境負荷集計装置であって、
製品の指定を受け付け、前記部品情報記憶手段に記憶されている指定製品を構成する各部品の部品情報、および、前記工程情報記憶手段に記憶されている前記指定製品を構成するいずれかの部品に紐付けられた工程の工程情報を表示する部品構成情報表示手段をさらに有し、
前記工程情報記憶手段に記憶されている各工程情報は、環境負荷項目の情報を公開するか否かを示す公開レベルを有し、
前記部品構成情報表示手段は、
前記指定製品を構成する部品に紐付けられた工程の工程情報を表示する場合、当該工程情報に含まれている公開レベルが環境負荷項目の情報の公開を許可しているならば、当該工程情報に含まれている環境負荷項目の情報をそのまま表示し、許可していないならば、当該工程情報に含まれている環境負荷項目の情報より算出したライフサイクルアセスメント値を表示すること
を特徴とする環境負荷集計装置。
【請求項５】
コンピュータが製品の各ライフステージにおける環境負荷情報を集計する環境負荷集計方法であって、
前記コンピュータの記憶装置には、
製品を含む各部品の情報であり、当該部品の親子関係にある他の部品の情報を含む部品情報と、製品を含む部品の提供者によって定義された部品の製造に関する工程の情報であり、当該工程において環境に影響を与える環境負荷項目の情報、所定の規則に従って定義された製品の製造に関する各基本工程のうち当該工程に対応する基本工程の情報、および、当該工程が紐付けられた部品の情報を有する工程情報と、製品の提供者によって定義された製品のライフステージの情報であり、当該ライフステージに割り当てる基本工程の情報を有するステージ定義情報と、が記憶されており、
前記コンピュータの演算装置は、
前記部品情報記憶手段に記憶されている各部品の部品情報を用いて、前記指定製品を構成する各部品を特定するステップと、
前記特定した各部品に紐付けられている各工程情報を前記工程情報記憶手段から検索するステップと、
前記ステージ定義情報記憶手段に記憶されている前記指定製品の提供者のステージ定義情報を用いて、前記検索した各工程情報を当該工程情報に含まれている基本工程が割り当てられているライフステージに分類するステップと、
前記検索した各工程情報に含まれている環境負荷項目の情報をライフステージ毎に集計するステップと、を実行すること
を特徴とする環境負荷集計方法。
【請求項６】
請求項５に記載の環境負荷集計方法であって、
前記記憶装置に記憶されている各工程情報は、環境負荷項目の情報を公開するか否かを示す公開レベルを有し、
前記演算装置は、
製品の指定を受け付け、前記記憶装置に記憶されている指定製品を構成する各部品の部品情報、および、前記指定製品を構成するいずれかの部品に紐付けられた工程の工程情報を表示するステップをさらに行い、
前記表示するステップは、
前記指定製品を構成する部品に紐付けられた工程の工程情報を表示する場合、当該工程情報に含まれている公開レベルが環境負荷項目の情報の公開を許可しているならば、当該工程情報に含まれている環境負荷項目の情報をそのまま表示し、許可していないならば、当該工程情報に含まれている環境負荷項目の情報より算出したライフサイクルアセスメント値を表示すること
を特徴とする環境負荷集計方法。
【請求項７】
コンピュータで読取り可能なプログラムであって、
前記コンピュータの記憶装置には、
製品を含む各部品の情報であり、当該部品の親子関係にある他の部品の情報を含む部品情報と、製品を含む部品の提供者によって定義された部品の製造に関する工程の情報であり、当該工程において環境に影響を与える環境負荷項目の情報、所定の規則に従って定義された製品の製造に関する各基本工程のうち当該工程に対応する基本工程の情報、および、当該工程が紐付けられた部品の情報を有する工程情報と、製品の提供者によって定義された製品のライフステージの情報であり、当該ライフステージに割り当てる基本工程の情報を有するステージ定義情報と、が記憶されており、
前記プログラムは、前記コンピュータの演算装置に、
前記部品情報記憶手段に記憶されている各部品の部品情報を用いて、前記指定製品を構成する各部品を特定する機能と、
前記特定した各部品に紐付けられている各工程情報を前記工程情報記憶手段から検索する機能と、
前記ステージ定義情報記憶手段に記憶されている前記指定製品の提供者のステージ定義情報を用いて、前記検索した各工程情報を当該工程情報に含まれている基本工程が割り当てられているライフステージに分類する機能と、
前記検索した各工程情報に含まれている環境負荷項目の情報をライフステージ毎に集計する機能と、を実現させること
を特徴とするコンピュータで読取り可能なプログラム。
【請求項８】
請求項７に記載のコンピュータで読取り可能なプログラムであって、
前記記憶装置に記憶されている各工程情報は、環境負荷項目の情報を公開するか否かを示す公開レベルを有し、
前記プログラムは、前記演算装置に、
製品の指定を受け付け、前記記憶装置に記憶されている指定製品を構成する各部品の部品情報、および、前記指定製品を構成するいずれかの部品に紐付けられた工程の工程情報を表示する機能をさらに実現させ、
前記表示する機能は、
前記指定製品を構成する部品に紐付けられた工程の工程情報を表示する場合、当該工程情報に含まれている公開レベルが環境負荷項目の情報の公開を許可しているならば、当該工程情報に含まれている環境負荷項目の情報をそのまま表示し、許可していないならば、当該工程情報に含まれている環境負荷項目の情報より算出したライフサイクルアセスメント値を表示すること
を特徴とするコンピュータで読取り可能なプログラム。
【請求項９】
製品の各ライフステージにおける環境負荷情報を集計する環境負荷集計装置であって、
製品を含む各部品の情報であり、当該部品の親子関係にある他の部品の情報を含む部品情報が記憶された部品情報記憶手段と、
所定の規則に従って定義された製品の製造に関する基本工程の情報と、当該基本工程に紐付けられた部品の情報と、を有する工程情報が記憶された工程情報記憶手段と、
基本工程の情報と、当該基本工程において環境に影響を与える環境負荷項目の情報と、を有する環境負荷情報が記憶された環境負荷情報記憶手段と、
製品の各ライフステージに割り当てる基本工程の情報を有するステージ定義情報が記憶されたステージ定義情報記憶手段と、
製品の指定を受け付け、指定製品の各ライフステージにおける環境負荷情報を集計する環境負荷情報集計手段と、を有し、
前記環境負荷情報集計手段は、
前記部品情報記憶手段に記憶されている各部品の部品情報を用いて、前記指定製品を構成する各部品を特定する処理と、前記特定した各部品に紐付けられている各工程情報を前記工程情報記憶手段から検索する処理と、前記ステージ定義情報記憶手段に記憶されている前記指定製品のステージ定義情報を用いて、前記検索した各工程情報を当該工程情報に含まれている基本工程が割り当てられているライフステージに分類する処理と、前記検索した各工程情報に含まれている基本工程の情報を含む環境負荷情報を、前記環境負荷情報記憶手段から読み出し、該読み出した環境負荷情報各々に含まれている環境負荷項目の情報をライフステージ毎に集計する処理と、を実行すること
を特徴とする環境負荷集計装置。
【請求項１０】
請求項９に記載の環境負荷集計装置であって、
環境負荷項目の情報をライスステージの指定と共に受け付ける処理と、前記ステージ定義情報記憶手段に記憶されているステージ定義情報を用いて、指定されたライフステージを構成する基本工程を特定し、該特定した基本工程と、該受け付けた環境負荷項目の情報とを含む環境負荷情報を、前記環境負荷情報記憶手段に登録する処理と、を実行する環境負荷情報登録手段をさらに有すること
を特徴とする環境負荷集計装置。
【請求項１１】
コンピュータが製品の各ライフステージにおける環境負荷情報を集計する環境負荷集計方法であって、
前記コンピュータの記憶装置には、
製品を含む各部品の情報であり、当該部品の親子関係にある他の部品の情報を含む部品情報と、所定の規則に従って定義された製品の製造に関する基本工程の情報および当該基本工程に紐付けられた部品の情報を有する工程情報と、基本工程の情報および当該基本工程において環境に影響を与える環境負荷項目の情報を有する環境負荷情報と、製品の各ライフステージに割り当てる基本工程の情報を有するステージ定義情報と、が記憶されており、
前記コンピュータの演算装置は、
入力装置を介して製品の指定を受け付けるステップと、
前記記憶装置に記憶されている各部品の部品情報を用いて、前記指定された製品を構成する各部品を特定するステップと、
前記特定した各部品に紐付けられている各工程情報を前記記憶装置から検索するステップと、
前記記憶装置に記憶されている前記指定された製品のステージ定義情報を用いて、前記検索した各工程情報を当該工程情報に含まれている基本工程が割り当てられているライフステージに分類するステップと、
前記検索した各工程情報に含まれている基本工程の情報を含む環境負荷情報を、前記記憶装置から読み出し、該読み出した環境負荷情報各々に含まれている環境負荷項目の情報をライフステージ毎に集計するステップと、を実行すること
を特徴とする環境負荷集計方法。
【請求項１２】
コンピュータで読取り可能なプログラムであって、
前記コンピュータの記憶装置には、
製品を含む各部品の情報であり、当該部品の親子関係にある他の部品の情報を含む部品情報と、所定の規則に従って定義された製品の製造に関する基本工程の情報および当該基本工程に紐付けられた部品の情報を有する工程情報と、基本工程の情報および当該基本工程において環境に影響を与える環境負荷項目の情報を有する環境負荷情報と、製品の各ライフステージに割り当てる基本工程の情報を有するステージ定義情報と、が記憶されており、
前記プログラムは、前記コンピュータの演算装置に、
入力装置を介して製品の指定を受け付ける機能と、
前記記憶装置に記憶されている各部品の部品情報を用いて、前記指定された製品を構成する各部品を特定する機能と、
前記特定した各部品に紐付けられている各工程情報を前記記憶装置から検索する機能と、
前記記憶装置に記憶されている前記指定された製品のステージ定義情報を用いて、前記検索した各工程情報を当該工程情報に含まれている基本工程が割り当てられているライフステージに分類する機能と、
前記検索した各工程情報に含まれている基本工程の情報を含む環境負荷情報を、前記記憶装置から読み出し、該読み出した環境負荷情報各々に含まれている環境負荷項目の情報をライフステージ毎に集計する機能と、を実現させること
を特徴とするコンピュータで読取り可能なプログラム。
【発明の詳細な説明】
【技術分野】
【０００１】
本発明は、製品の各ライフステージにおける環境影響情報を集計する技術に関し、特に、ＥｕＰ指令における「エコロジカルプロファイル」の作成を支援する技術に関する。
【背景技術】
【０００２】
自動車に関するＥＵの規制としてＥＬＶ（End-of Life Vehicles）がある。ＥＬＶでは、自動車の部品に、鉛、水銀、６価クロム、カドミウムなどを使用することを原則禁止している。通常、自動車の部品点数は数万にも及ぶ。また、多くの部品サプライヤが自動車メーカに部品を提供している。したがって、自動車メーカが自動車を構成する部品の１つ１つについて、禁止物質が使われているか否かを調べることは容易でない。このため、ＩＭＤＳ（International Material System）が利用されている。ＩＭＤＳは、インターネットなどのネットワーク上に設けられたデータベースシステムである。部品サプライヤは、製品（自動車部品）の構成部品の材料、物質データをネットワークを介してＩＭＤＳに登録することができ、自動車メーカは、ＩＭＤＳに登録された内容を閲覧することで、自社製品に利用されている部品をチェックすることができる（非特許文献１）。
【０００３】
【非特許文献１】市川芳明著  「新たな規制をビジネスチャンスに変える環境経営戦略」  中央法規出版  ２００４年７月１０日  ｐ．５  図１７
【発明の開示】
【発明が解決しようとする課題】
【０００４】
近年、ＥＵにおいて、ＥｕＰ（Proposal for a DIRECTIVE on establishing a framework for the setting of Eco-design for Energy Using Products：エネルギー使用製品に対するエコデザイン要求設定枠組みに関する指令）が提案された。従来のライフサイクル評価の考え方では、自社内にてライフサイクルの全ステージを調査し推定するようなクローズしたデータ収集に終わっていたが、グローバルに部品が調達され高度に分業化された現在の社会においてサプライチェーンを意識したデータ収集をする必要性がでてきた。すなわち、実社会におけるライフステージは、サプライチェーンそのものと言ってよく、このサプライチェーンにおけるライフステージのデータを収集することが新たな課題として浮び上がった。このため、ＥｕＰでは、ライフサイクルの各ライフステージでの投入および排出を定量的に評価した「エコロジカルプロファイル」を作成し、製品の環境側面の設計を実施することを義務化している。
【０００５】
上記のＩＤＭＳをＥｕＰに適用できるようにするために、製品の構成部品の材料、物質データのみならず、構成部品の製造（組立）工程における投入および排出のデータも登録するように変更することが考えられる。しかし、ＥｕＰは、エネルギー使用製品のライフサイクルを定義するが、ライフサイクルを構成する各ライフステージを定義していない。各メーカによってライフステージの定義が異なる場合も考えられる。このため、各ライフステージにおける投入および排出のデータ収集範囲がメーカ毎に異なり、サプライヤは、メーカ毎に異なるデータをＩＭＤＳに登録しなければならない。
【０００６】
また、構成部品の原価情報が、最終製品の各ライフステージにおける投入および排出のデータとして集計された状態では推定できなくても、当該構成部品の製造工程における投入および排出のデータから推定できる場合がある。したがって、サプライヤの許可なしで、当該サプライヤの構成部品の製造工程における投入および排出のデータをメーカが閲覧できないようにする仕組みが必要である。
【０００７】
本発明は上記事情に鑑みてなされたものであり、本発明の目的は、製品の各ライフステージの定義がメーカ毎に異なる場合でも、サプライヤが各ライフステージにおける投入および排出のデータをメーカ毎に登録しておく必要のない技術を提供することにある。
【０００８】
また、本発明の他の目的は、サプライヤが見せたくないデータを、部品の納品先であるメーカに対しても非公開にできる技術を提供することにある。
【課題を解決するための手段】
【０００９】
上記課題を解決するために、本発明の第１の態様では、ＥｕＰ等の法規で定義されたライフサイクルの各ライフステージを、各ユーザに共通の基本工程を用いて、ユーザが独自に定義できるようにする。これと共に、ユーザが独自に採用する工程を、該基本工程に対応付けて管理する。
【００１０】
例えば、本発明の第１の態様は、製品の各ライフステージにおける環境負荷情報を集計する環境負荷集計装置であって、
製品を含む各部品の情報であり、当該部品の親子関係にある他の部品の情報を含む部品情報が記憶された部品情報記憶手段と、
製品を含む部品の提供者によって定義された部品の製造に関する工程の情報であり、当該工程において環境に影響を与える環境負荷項目の情報と、所定の規則に従って定義された製品の製造に関する各基本工程のうち当該工程に対応する基本工程の情報と、当該工程が紐付けられた部品の情報と、を有する工程情報が記憶された工程情報記憶手段と、
製品の提供者によって定義された製品のライフステージの情報であり、当該ライフステージに割り当てる基本工程の情報を有するステージ定義情報が記憶されたステージ定義情報記憶手段と、
製品の指定を受け付け、指定製品の各ライフステージにおける環境負荷情報を集計する環境負荷情報集計手段と、を有し、
前記環境負荷情報集計手段は、
前記部品情報記憶手段に記憶されている各部品の部品情報を用いて、前記指定製品を構成する各部品を特定する処理と、前記特定した各部品に紐付けられている各工程情報を前記工程情報記憶手段から検索する処理と、前記ステージ定義情報記憶手段に記憶されている前記指定製品の提供者のステージ定義情報を用いて、前記検索した各工程情報を当該工程情報に含まれている基本工程が割り当てられているライフステージに分類する処理と、前記検索した各工程情報に含まれている環境負荷項目の情報を各ライフステージ毎に集計する処理と、を実行する。
【００１１】
また、本発明の第２の態様では、環境負荷項目の情報の公開レベルをユーザが独自に定義した工程毎に設定できるようにしている。
【００１２】
例えば、本発明の第２の態様は、第１の態様の環境負荷集計装置であって、
製品の指定を受け付け、前記部品情報記憶手段に記憶されている指定製品を構成する各部品の部品情報、および、前記工程情報記憶手段に記憶されている前記指定製品を構成するいずれかの部品に紐付けられた工程の工程情報を表示する部品構成情報表示手段をさらに有し、
前記工程情報記憶手段に記憶されている各工程情報は、環境負荷項目の情報を公開するか否かを示す公開レベルを有し、
前記部品構成情報表示手段は、
前記指定製品を構成する部品に紐付けられた工程の工程情報を表示する場合、当該工程情報に含まれている公開レベルが環境負荷項目の情報の公開を許可しているならば、当該工程情報に含まれている環境負荷項目の情報をそのまま表示し、許可していないならば、当該工程情報に含まれている環境負荷項目の情報より算出したライフサイクルアセスメント値を表示する。
【００１３】
また、本発明の第３の態様では、ＥｕＰ等の法規で定義されたライフサイクルの各ライフステージを、各ユーザに共通の基本工程を用いて、ユーザが独自に定義できるようにする。
【００１４】
例えば、本発明の第３の態様は、製品の各ライフステージにおける環境負荷情報を集計する環境負荷集計装置であって、
製品を含む各部品の情報であり、当該部品の親子関係にある他の部品の情報を含む部品情報が記憶された部品情報記憶手段と、
所定の規則に従って定義された製品の製造に関する基本工程の情報と、当該基本工程に紐付けられた部品の情報と、を有する工程情報が記憶された工程情報記憶手段と、
基本工程の情報と、当該基本工程において環境に影響を与える環境負荷項目の情報と、を有する環境負荷情報が記憶された環境負荷情報記憶手段と、
製品の各ライフステージに割り当てる基本工程の情報を有するステージ定義情報が記憶されたステージ定義情報記憶手段と、
製品の指定を受け付け、指定製品の各ライフステージにおける環境負荷情報を集計する環境負荷情報集計手段と、を有し、
前記環境負荷情報集計手段は、
前記部品情報記憶手段に記憶されている各部品の部品情報を用いて、前記指定製品を構成する各部品を特定する処理と、前記特定した各部品に紐付けられている各工程情報を前記工程情報記憶手段から検索する処理と、前記ステージ定義情報記憶手段に記憶されている前記指定製品のステージ定義情報を用いて、前記検索した各工程情報を当該工程情報に含まれている基本工程が割り当てられているライフステージに分類する処理と、前記検索した各工程情報に含まれている基本工程の情報を含む環境負荷情報を、前記環境負荷情報記憶手段から読み出し、該読み出した環境負荷情報各々に含まれている環境負荷項目の情報をライフステージ毎に集計する処理と、を実行する。
【発明の効果】
【００１５】
本発明によれば、製品の各ライフステージの定義がメーカ毎に異なる場合でも、サプライヤが各ライフステージにおける投入および排出のデータをメーカ毎に登録しておく必要がなくなる。また、サプライヤが見せたくないデータを、部品の納品先であるメーカに対しても非公開にすることができる。
【発明を実施するための最良の形態】
【００１６】
以下に、本発明の実施の形態を説明する。
【００１７】
<<第１実施形態>>
図１は、本発明の第１実施形態が適用された環境負荷評価支援装置の概略図である。図示するように、本実施形態の環境負荷評価支援装置１は、演算部１０と、記憶部２０と、入出力部３０と、を有する。
【００１８】
入出力部３０は、記憶部２０に記憶するデータの入出力、ユーザよりの指示受付、および、ユーザへの情報表示を行う。
【００１９】
記憶部２０は、会社情報記憶部２０１と、基本工程情報記憶部２０２と、部品情報記憶部２０３と、工程情報記録部２０４と、工程環境負荷記憶部２０５と、法規別環境負荷記憶部２０６と、ライフステージ定義情報記憶部２０７と、を有する。
【００２０】
会社情報記憶部２０１には、評価対象となる製品の製造に携わる各会社の会社情報が記憶されている。会社情報記憶部２０１は、図２（Ａ）に示す会社番号管理テーブル２０１１と、図２（Ｂ）に示すサプライ関係管理テーブル２０１２と、を有する。
【００２１】
会社番号管理テーブル２０１１の各レコードは、会社番号を登録するフィールド２０１１１と、会社名称を登録するフィールド２０１１２と、を有する。
【００２２】
サプライ関係管理テーブル２０１２の各レコードは、部品納入先の会社番号を登録するフィールド２０１２１と、部品納入元であるサプライ会社の会社番号を登録するフィールド２０１２２と、を有する。
【００２３】
図２（Ｃ）は、会社番号管理テーブル２０１１およびサプライ関係管理テーブル２０１２から把握できる会社間のサプライ関係を表したツリー図である。この図において、矢印２０１３０は部品の移動（納入元と納入先との関係）を表している。例えば、最終製品メーカＡは１次サプライヤＭおよび１次サプライヤＮから部品を仕入れ、１次サプライヤＭは２次サプライヤＸから部品を仕入れ、そして、１次サプライヤＮは２次サプライヤＹから部品を仕入れている。
【００２４】
基本工程情報記憶部２０２には、所定の規則に従って定義（分類）された製品の製造に関する工程（基本工程と呼ぶ）の情報が記憶されている。基本工程情報記憶部２０２は、図３（Ａ）に示す基本工程情報管理テーブル２０２１を有する。
【００２５】
基本工程情報管理テーブル２０２１の各レコードは、大分類番号を登録するフィールド２０２１１と、中分類番号を登録するフィールド２０２１２と、小分類番号を登録するフィールド２０２１３と、最小単位番号を登録するフィールド２０２１４と、工程名称を登録するフィールド２０２１５と、ＬＣＡ計算式を登録するフィールド２０２１６と、ＬＣＡパラメータの項目を登録するための複数のフィールド２０２１７と、を有する。
【００２６】
ここで、ＬＣＡ計算式とは、対象工程におけるＬＣＡ値（ライフサイクルアセスメント値：環境影響評価値）を算出するための式である。例えば、対象工程が鉄切削である場合、当該工程において環境に影響を与える項目（環境負荷項目）としては、当該工程に投入される重油、ＬＰＧや、当該工程から排出されるＣＯ２、ＮｏＸ、ＳＯＸ、鉄屑くずなどが挙げられる。ＬＣＡ値とは、これらの環境負荷項目が与える影響を定量的に表した値であり、ＬＣＡ計算式は、入力値（環境負荷項目）の種類、および、入力値からＬＣＡ値を算出するための関数を定義している。また、ＬＣＡパラメータは、ＬＣＡ計算式を用いてＬＣＡ値を計算する際に利用する属性値（係数、定数）である。
【００２７】
基本工程の工程番号は、大分類番号+中分類番号+小分類番号+最小単位番号で表される。中分類番号以降が全て０の場合は対象の基本工程が大分類に属することを意味し、小分類番号以降が全て０の場合は対象の基本工程が中分類に属することを意味し、最小単位番号が全て０の場合は対象の基本工程が小分類に属することを意味し、そして、最小単位番号に０以外の数字が割り当てられている場合は対象の基本工程が最小単位に属することを意味する。図３（Ｂ）は、基本工程情報管理テーブル２０２１から把握できる基本工程間の親子関係を表したツリー図である。例えば、大分類２０２２１に属する「表面処理」には、「塗装工程」を含む複数の中分類２０２２２を有し、中分類２０２２２に属する「塗装工程」は小分類２０２２３に属する「樹脂塗装」を有する。また、小分類２０２２３に属する「樹脂塗装」は、最小単位２０２２４に属する「洗浄」、「塗装」、「乾燥」、「焼付け」を有する。
【００２８】
部品情報記憶部２０３には、評価対象となる製品および製品を構成する各部品（材料を含む）の情報が記憶される。部品情報記憶部２０３は、図４（Ａ）に示す部品番号管理テーブル２０３１と、図４（Ｂ）に示す部品構成管理テーブル２０３２と、を有する。
【００２９】
部品番号管理テーブル２０３１の各レコードは、対象部品（製品、材料を含む）の部品情報を登録する会社の会社番号を登録するフィールド２０３１１と、部品・材料番号を登録するフィールド２０３１２と、名称を登録するフィールド２０３１３と、部品（製品を含む）か材料かの種別を登録するフィールド２０３１４と、を有する。
【００３０】
部品構成管理テーブル２０３２の各レコードは、親部品の部品情報を登録した会社の会社番号を登録するフィールド２０３２１と、親部品を構成する子部品又は材料の情報を登録した会社の会社番号を登録するフィールド２０３２２と、親部品の部品・材料番号を登録するフィールド２０３２３と、子部品又は材料の部品・材料番号を登録するフィールド２０３２４と、子部品又は材料の数量（員数または重量）を登録するフィールド２０３２５と、を有する。
【００３１】
工程情報記録部２０４には、評価対象となる個々の製品が完成するまでの各工程の情報が記憶される。工程情報記録部２０４は、図５（Ａ）に示す工程番号管理テーブル２０４１と、図５（Ｂ）に示す工程紐付管理テーブル２０４２と、を有する。
【００３２】
工程番号管理テーブル２０４１の各レコードは、対象工程の工程情報を登録する会社の会社番号を登録するフィールド２０４１１と、工程番号を登録するフィールド２０４１２と、名称を登録するフィールド２０４１３と、公開レベルを登録するフィールド２０４１４と、対象工程に対応する基本工程の工程番号（大分類番号+中分類番号+小分類番号+最小単位番号）を登録するフィールド２０４１５と、を有する。ここで、公開レベルとは、対象工程に対する原材料、中間製品の投入量や廃棄物、排出物の発生量をどこまで他人に公開するかを設定するレベルである。本実施形態では、レベル「１」の場合に「工程名称」および「環境負荷値」を公開し、レベル「２」の場合に「工程名称」および「ＬＣＡ値」を公開し、レベル「３」の場合に全てを非公開にしている。
【００３３】
また、工程紐付管理テーブル２０４２の各レコードは、対象工程の工程情報を登録する会社の会社番号を登録するフィールド２０４２１と、対象工程を紐付ける（対象工程により生産される）部品の部品・材料番号を登録するフィールド２０４２２と、対象工程の工程番号を登録するフィールド２０４２３と、対象工程に対するＬＣＡ計算に利用するＬＣＡパラメータを登録する複数のフィールド２０４２５と、を有する。
【００３４】
工程環境負荷記憶部２０５には、各工程での環境負荷情報が登録される。工程環境負荷記憶部２０５は、図６（Ａ）に示す環境負荷項目管理テーブル２０５１と、図６（Ｂ）に示す環境負荷管理テーブル２０５２と、を有する。
【００３５】
環境負荷項目管理テーブル２０５１の各レコードは、基本工程の工程番号（大分類番号+中分類番号+小分類番号+最小単位番号）を登録するフィールド２０５１１と、対象の基本工程において環境に影響を与える環境負荷項目を登録するフィールド２０５１２と、環境負荷項目の単位を登録するフィールド２０５１３と、環境負荷項目が対象の基本工程に投入されるものであるか、それとも、対象の基本工程から排出されるものであるかを示す投入/排出区分情報を登録するフィールド２０５１４と、を有する。
【００３６】
また、環境負荷管理テーブル２０５２の各レコードは、対象工程の環境負荷情報を登録する会社の会社番号を登録するフィールド２０５２１と、対象工程の工程番号を登録するフィールド２０５２２と、対象工程において環境に影響を与える環境負荷項目を登録するフィールド２０５２３と、環境負荷項目の値（員数または重量）を登録するフィールド２０５２４と、環境負荷項目が対象工程に投入されるものであるか、それとも、対象工程から排出されるものであるかを示す投入/排出区分情報を登録するフィールド２０５２５と、を有する。
【００３７】
法規別環境負荷記憶部２０６には、ＥｕＰなどの法規毎に各ライフステージでの環境負荷情報が記憶される。法規別環境負荷記憶部２０６は図７に示す法規別環境負荷管理テーブル２０６１を有する。
【００３８】
法規別環境負荷管理テーブル２０６１の各レコードは、対象のライフステージの環境負荷情報を登録する会社の会社番号を登録するフィールド２０６１１と、対象の法規を登録するフィールド２０６１２と、対象のライフステージが紐付けられる部品の部品・材料番号を登録するフィールド２０６１３と、対象のライフステージのライフステージ番号を登録するフィールド２０６１４と、対象のライフステージに対するＬＣＡ計算の入力値となる環境負荷項目を登録するフィールド２０６１５と、環境負荷項目が対象のライフステージに投入されるものであるか、それとも、対象のライフステージから排出されるものであるかを示す投入/排出区分情報を登録するフィールド２０６１６と、環境負荷項目の値（員数または重量）を登録するフィールド２０６１７と、を有する。
【００３９】
ここで、ライフステージとは、対象の法規が定義するライフサイクルを構成する工程である。例えばＥｕＰでは、ライフサイクルは定義されているけれども、ライフサイクルを構成する各ライフステージは定義されていない。従って、ライフステージにどの基本工程を割り当てるかは、各会社（ユーザ）が個別に定義することになる。
【００４０】
ライフステージ定義情報記憶部２０７には、ＥｕＰ等が定義するライフサイクルを構成する各ライフステージの定義情報が登録される。ライフステージ定義情報記憶部２０７は、図８（Ａ）に示すステージ番号管理テーブル２０７１と、図８（Ｂ）に示すステージ定義情報管理テーブル２０７２とを有する。
【００４１】
ステージ番号管理テーブル２０７１の各レコードは、対象のライフステージを含むライフサイクルを定義する法規を登録するフィールド２０７１１と、当該法規における対象のライフステージの名称を登録するフィールド２０７１２と、対象のライフステージに割り当てたライフステージ番号を登録するフィールド２０７１３と、を有する。
【００４２】
また、ステージ定義情報管理テーブル２０７２の各レコードは、ライフステージの定義情報を登録する会社の会社番号を登録するフィールド２０７２１と、対象のライフステージを含むライフサイクルを定義する法規を登録するフィールド２０７２２と、対象のライフステージのライフステージ番号を登録するフィールド２０７２３と、対象のライフステージに割り当てる基本工程を示すステージ定義情報を登録するフィールド２０７２４とを有する。この例では、ＥｕＰのライフステージ「部品加工」の定義として、会社番号「ＣＯ-Ａ-０００１」を持つ会社は小分類の基本工程「樹脂塗装」を割り当て、会社番号「ＣＯ-Ａ-０００２」を持つ会社は小分類の基本工程「樹脂塗装」から最小単位の基本工程「洗浄」、「塗装」を除いたものを割り当て、会社番号「ＣＯ-Ａ-０００３」を持つ会社は最小単位の基本工程「洗浄」、「塗装」、「乾燥」を割り当てている。
【００４３】
上述した各テーブルのうち、会社番号管理テーブル２０１１、サプライ関係管理テーブル２０１２、基本工程情報管理テーブル２０２１、環境負荷項目管理テーブル２０５１、および、ステージ番号管理テーブル２０７１は、環境負荷評価支援装置１の管理者等によって記憶部２０に予め記憶されたものである。一方、部品番号管理テーブル２０３１、部品構成管理テーブル２２０３２、工程番号管理テーブル２０４１、工程紐付管理テーブル２０４２、環境負荷管理テーブル２０５２、法規別環境負荷管理テーブル２０６１、および、ステージ定義情報管理テーブル２０７２は、環境負荷評価支援装置１のユーザ（メーカ、サプライヤ）によってその登録内容が更新されるものである。
【００４４】
図１に戻って説明を続ける。演算部１０は、部品構成ツリー表示処理部１０１と、部品情報登録処理部１０２と、工程情報登録処理部１０３と、環境負荷計算部１０４と、ライフステージ定義情報登録処理部１０５と、を有する。
【００４５】
ライフステージ定義情報登録処理部１０５は、ユーザの指示に従いステージ定義情報管理テーブル２０７２にライフステージ定義情報のレコードを登録する。
【００４６】
図９は、ライフステージ定義情報登録処理部１０５によるライフステージ定義情報の登録処理を説明するためのフロー図である。このフローは、会社番号を含むログイン情報を入出力部３０に入力し、演算部１０にログイン許可されたユーザが、入出力部３０にステージ定義情報登録要求を入力することにより開始される。
【００４７】
まず、ライフステージ定義情報登録処理部１０５は、入出力部３０に、ステージ定義情報管理テーブル２０７２に新たにレコードを登録するか、それとも、ステージ定義情報管理テーブル２０７２に登録されているレコードを更新または削除するかを選択させるためのメニュー画面を表示する（Ｓ１０１）。そして、入出力部３０を介してユーザより、レコードの新規登録を受け付けたならばＳ１０３に進み、レコードの更新・削除を受け付けたならばＳ１０６へ進む（Ｓ１０２）。
【００４８】
Ｓ１０３において、ライフステージ定義情報登録処理部１０５は、ステージ番号管理テーブル２０７１に登録されている各ライフステージのレコードを読み出すと共に、基本工程情報管理テーブル２０２１から各基本工程のレコードを読み出す。そして、例えば、各ライフステージのレコードがリスト表示されると共に、各基本工程のレコードが図３（Ｂ）に示すようにツリー表示された新規登録画面を作成し、入出力部３０に表示する。ユーザは、入出力部３０を用いて、新規登録画面上にリスト表示されたライフステージのレコードの中から定義情報を作成するライフステージを選択することができる。また、ツリー表示された基本工程のレコードの中から所望の基本工程を少なくとも１つ選択し、選択した基本工程を使って四則演算の式を作ることで、ステージ定義情報を作成することができる。
【００４９】
さて、ライフステージ定義情報登録処理部１０５は、入出力部３０を介してユーザより、ライフステージの選択およびステージ定義情報を受け付けたならば（Ｓ１０４）、ステージ定義情報管理テーブル２０７２に新たなステージ定義情報のレコードを追加し、追加したレコードのフィールド２０２７１に、例えばログインの際にユーザから受け取った会社番号を、フィールド２０７２２、２０７２３に、選択されたライフステージのレコードに登録されている適用法規、ライフステージ番号を、そして、フィールド２０７２４にステージ定義情報を登録する（Ｓ１０５）。
【００５０】
一方、Ｓ１０６において、ステージ定義情報登録処理部１０５は、ステージ定義情報管理テーブル２０７２から、例えばログインの際にユーザから受け取った会社番号が登録されているステージ定義情報のレコードを読み出すと共に、基本工程情報管理テーブル２０２１から各基本工程のレコードを読み出す。そして、例えば、各ステージ定義情報のレコードがリスト表示されると共に、各基本工程のレコードが図３（Ｂ）に示すようにツリー表示された編集受付画面を作成し、入出力部３０に表示する。ユーザは、入出力部３０を用いて、編集受付画面上にリスト表示されたステージ定義情報のレコードの中から更新または削除するステージ定義情報を選択することができる。また、ツリー表示された基本工程のレコードの中から所望の基本工程を少なくとも１つ選択し、選択した基本工程を使って四則演算の式を作ることで、新たなステージ定義情報を作成することができる。
【００５１】
さて、ステージ定義情報登録処理部１０５は、入出力部３０を介してユーザより、ステージ定義情報の選択およびステージ定義情報を受け付けたならば（Ｓ１０７）、選択されたステージ定義情報のレコードのフィールド２０７２４の登録内容を受け付けたステージ定義情報に更新する（Ｓ１０８）。なお、ステージ定義情報に代えて削除指示を受け付けた場合は、選択されたステージ定義情報のレコードをステージ定義情報管理テーブル２０７２から削除する。
【００５２】
図１に戻って説明を続ける。部品構成ツリー表示処理部１０１は、ユーザの指示に従い所望の部品（製品を含む）の構成ツリー表示画面を作成し、入出力部３０に表示する。
【００５３】
図１０は、構成ツリー表示処理部１０１による部品構成ツリーの表示処理を説明するためのフロー図である。このフローは、会社番号を含むログイン情報を入出力部３０に入力し、演算部１０にログイン許可されたユーザが、入出力部３０に部品構成ツリー表示要求を入力することにより開始される。
【００５４】
まず、構成ツリー表示処理部１０１は、部品番号管理テーブル２０３１から例えばログインの際にユーザから受け取った会社番号が登録されている部品情報のレコードを読み出す。そして、例えば各部品情報のレコードがリスト表示された部品選択画面を作成し、入出力部３０に表示する（Ｓ２０１）。ユーザは、入出力部３０を用いて、部品選択画面上にリスト表示された部品情報のレコードの中から所望の部品情報を選択できる。
【００５５】
さて、構成ツリー表示処理部１０１は、入出力部３０を介してユーザより、部品情報の選択を受け付けたならば（Ｓ２０２）、部品構成管理テーブル２０３２を用いて選択された部品を頂点とする部品構成ツリーを特定する（Ｓ２０３）。具体的には、選択部品を親部品とするレコードを部品構成管理テーブル２０３２から検索する。検索できたならば、選択部品と、検索したレコードに子部品・材料として登録されている部品・材料（子部品・材料の部品番号をキーとして部品番号管理テーブル２０３１を検索することによりその詳細情報を特定できる）とを、親子関係を示す親子線で連結する。それから、前記検索したレコードに子部品・材料として登録されている部品・材料（注目部品と呼ぶ）を親部品とするレコードを部品構成管理テーブル２０３２から検索する。検索できたならば、注目部品と、検索したレコードに子部品・材料として登録されている部品・材料とを親子線でさらに連結する。この処理を、注目部品を親部品とするレコードが部品構成管理テーブル２０３２から検索できなくなるまで繰り返す。
【００５６】
次に、構成ツリー表示処理部１０１は、工程紐付管理テーブル２０４２を用いて、選択部品を構成する各部品・材料に紐付けられている工程を特定する（Ｓ２０４）。具体的には、Ｓ２０３で特定した部品構成ツリーに属する全ての部品・材料の各々について、当該部品・材料が紐付部品として登録されているレコードを、工程紐付管理テーブル２０４２から検索する。検索できたならば、当該部品・材料と、該レコードに登録されている工程（工程番号をキーとして工程番号管理テーブル２０４１を検索することによりその詳細情報を特定できる）とを、生産関係を示す生産線で連結する。
【００５７】
以上のようにして、部品構成ツリーおよび部品構成ツリーを構成する部品・材料に紐付ける工程を特定したならば、構成ツリー表示処理部１０１は、これらの内容に基づいて工程が紐付けられた部品構成ツリー図を作成する（Ｓ２０５）。ここで、部品・材料に紐付ける工程各々について、工程番号管理テーブル２０４１に登録されている当該工程のレコードが、例えばログインの際にユーザから受け取った会社番号と異なる会社番号を持つ場合、つまり、当該工程が自社以外の会社の工程である場合、当該工程のレコードに登録されている公開レベルが、工程名称を表示できるレベルに設定されているか否かを調べる。そして、工程名称を表示できるレベルに設定されていない場合は、当該工程の部品構成ツリー図における表示属性を非表示に変更する。このようにすることで、当該工程を行う会社以外のユーザに対しては、当該工程が部品構成ツリー図に表示されないようする。
【００５８】
次に、構成ツリー表示処理部１０１は、工程が紐付けられた部品構成ツリー図を含む各種設定受付画面（部品情報登録指示、工程情報登録指示、環境負荷設定指示の受付画面）を作成し、入出力部３０に表示する（Ｓ２０６）。
【００５９】
図１１は最終製品メーカＡが全自動洗濯機（ＡＡ-８Ｓ-Ｃ００１）を選択した場合に入出力部３０に表示される各種受付画面の例を示す図である。図示するように、各種受付画面には、全自動洗濯機を頂点とする工程が紐付けられた部品構成ツリー１０１１が表示される。ここで、符号１０１２は、１次サプライヤＭ社の工程である。工程番号管理テーブル２０４１に登録されている当該工程のレコードの公開レベルが工程名称を表示できるレベルに設定されていない場合、当該工程は非表示となる。同様に、符号１０１３は、２次サプライヤＸ社の工程である。工程番号管理テーブル２０４１に登録されている当該工程のレコードの公開レベルが工程名称を表示できるレベルに設定されていない場合、当該工程は非表示となる。また、各種受付画面において、符号１０１５は部品情報の登録指示ボタン、符号１０１６は材料情報の登録指示ボタン、符号１０１７は工程情報の登録指示ボタン、符号１０１８は報告支援指示ボタン、そして、符号１０１９は工程の詳細情報指示ボタンである。なお、図１１において、例えばカーソル操作により部品構成ツリー１０１１に属する任意の部品または工程が選択された場合に、この選択された部品の部品情報のレコード（部品番号管理テーブル２０３１）または工程の工程情報のレコード（工程番号管理テーブル２０４１）に登録されている会社番号をキーとして、会社番号管理テーブル２０１１を検索して、当該会社番号を持つ会社の会社名称を特定し、この特定した会社名称を選択された部品または工程の近くに表示してもよい。
【００６０】
図１に戻って説明を続ける。部品情報登録処理部１０２は、ユーザの指示に従い所望の部品（製品、材料を含む）の情報を部品情報記憶部２０３に登録する。
【００６１】
図１２は、部品情報登録処理部１０２による部品情報の登録処理を説明するためのフロー図である。このフローは、図１１に示すような各種受付画面において、部品情報の登録指示ボタン１０１５あるいは材料情報の登録指示ボタン１０１６が選択されることにより開始される。
【００６２】
まず、部品情報登録処理部１０２は、部品情報の登録が指示された場合はＳ３０２へ進み、材料情報の登録が指示され場合はＳ３０７へ進む。
【００６３】
Ｓ３０２において、部品情報登録処理部１０２は、登録する部品の部品・材料番号を入力するエントリと、該部品の名称を入力するエントリとを備えた部品情報登録受付画面を入出力部３０に表示し、入出力部３０を介してユーザから部品・材料番号および名称を受け付ける。次に、部品番号管理テーブル２０３１に新たなレコードを追加し、該レコードのフィールド２０３１１に例えばログインの際にユーザから受け取った会社番号を、フィールド２０３１２、２０３１３にＳ３０２で受け付けた部品・材料番号、名称を、そして、フィールド２０３１４に種別「部品」を登録する（Ｓ３０３）。
【００６４】
次に、部品情報登録処理部１０２は、Ｓ３０３で部品番号管理テーブル２０３１にレコードを追加した部品（注目部品と呼ぶ）の子部品・材料が選択されているか否かを調べる（Ｓ３０４）。例えば、図１１に示すような各種受付画面において、部品構成ツリー１０１１の任意の部品・材料が選択された状態で部品情報の登録指示ボタン１０１５が選択された場合、当該任意の部品が子部品として選択されたものとする。子部品が選択されていない場合はこのフローを終了する。一方、子部品が選択されている場合、入出力部３０を介してユーザより、注目部品に利用するこの子部品・材料の数量（員数、重量）を受け付ける（Ｓ３０５）。そして、部品番号管理テーブル２０３２に新たなレコードを追加し、該レコードのフィールド２０３２１に注目部品の会社番号を、フィールド２０３２２に子部品・材料の会社番号を、フィールド２０３２３に注目部品の部品・材料番号を、フィールド２０３２４に子部品・材料の部品・材料番号を、そして、フィールド２０３２５に、Ｓ３０５で受け付けた数量を登録する（Ｓ３０６）。なお、注目部品、子部品・材料の会社番号は、部品・材料番号をキーとして部品番号管理テーブル２０３１を検索することで得ることができる。
【００６５】
一方、Ｓ３０７において、部品情報登録処理部１０２は、登録する材料の部品・材料番号を入力するエントリと、予め登録されている材料名称のリストの中から該材料の名称を選択させるためのエントリとを備えた材料情報登録受付画面を入出力部３０に表示し、入出力部３０を介してユーザから部品・材料番号および名称を受け付ける。次に、部品番号管理テーブル２０３１に新たなレコードを追加し、該レコードのフィールド２０３１１に例えばログインの際にユーザから受け取った会社番号を、フィールド２０３１２、２０３１３にＳ３０７で受け付けた部品・材料番号、名称を、そして、フィールド２０３１４に種別「材料」を登録する（Ｓ３０８）。
【００６６】
次に、部品情報登録処理部１０２は、Ｓ３０８で部品番号管理テーブル２０３１にレコードを追加した材料（注目材料と呼ぶ）の親部品が選択されているか否かを調べる（Ｓ３０９）。例えば、図１１に示すような各種受付画面において、部品構成ツリー１０１１の任意の部品が選択された状態で材料情報の登録指示ボタン１０１６が選択された場合、当該任意の部品が親部品として選択されたものとする。親部品が選択されていない場合はこのフローを終了する。一方、親部品が選択されている場合、入出力部３０を介してユーザより、この親部品に利用する注目材料の数量（重量）を受け付ける（Ｓ３１０）。そして、部品番号管理テーブル２０３２に新たなレコードを追加し、該レコードのフィールド２０３２１に親部品の会社番号を、フィールド２０３２２に注目材料の会社番号を、フィールド２０３２３に親部品の部品・材料番号を、フィールド２０３２４に注目材料の部品・材料番号を、そして、フィールド２０３２５に、Ｓ３１０で受け付けた数量を登録する（Ｓ３１１）。なお、親部品、注目材料の会社番号は、部品・材料番号をキーとして部品番号管理テーブル２０３１を検索することで得ることができる。
【００６７】
図１に戻って説明を続ける。工程情報登録処理部１０３は、ユーザの指示に従い所望の工程の情報を工程情報記憶部２０４に登録する。
【００６８】
図１３は、工程情報登録処理部１０３による工程情報の登録処理を説明するためのフロー図である。このフローは、図１１に示すような各種受付画面において、部品構成ツリー１０１１の任意の部品（製品、材料を含む）が紐付部品として選択された状態で工程情報の登録指示ボタン１０１７が選択されることにより開始される。
【００６９】
まず、工程情報登録処理部１０３は、基本工程管理テーブル２０２１から全てのレコードを読み出して、各レコードの基本工程を、基本工程番号（大分類+中分類+小分類+最小単位）に従って大分類、中分類、小分類および最小単位のいずれかに分類する。それから、工程情報登録処理部１０３は、登録する工程の工程番号、名称、公開レベル、および、当該工程に対応する基本工程を受け付けるための工程情報受付画面を作成し、入出力部３０に表示する。そして、入出力部３０を介してユーザより、登録する工程の工程番号、名称、公開レベル、および、当該工程に対応する基本工程を受け付ける（Ｓ４０１）。
【００７０】
図１４は工程情報受付画面の一例を示す図である。図示するように、工程情報受付画面は、基本工程選択エントリ１０３１と、工程番号入力エントリ１０３２と、工程名称入力エントリ１０３３と、公開レベル入力エントリ１０３４と、登録ボタン１０３５と、環境負荷項目設定指示ボタン１０３６とを有する。
【００７１】
基本工程選択エントリ１０３１は、大分類の基本工程がプルダウンメニューによりリスト表示され、その中から所望の基本工程を選択するための大分類選択エントリ１０３１１と、エントリ１０３１１で選択された大分類に属する中分類の基本工程がプルダウンメニューによりリスト表示され、その中から所望の基本工程を選択するための中分類選択エントリ１０３１２と、エントリ１０３１２で選択された中分類に属する小分類の基本工程がプルダウンメニューによりリスト表示され、その中から所望の基本工程を選択するための小分類選択エントリ１０３１３と、エントリ１０３１３で選択された小分類に属する最小単位の基本工程がプルダウンメニューによりリスト表示され、その中から所望の基本工程を選択するための最小単位選択エントリ１０３１４と、を有する。エントリ１０３１１で基本工程が選択され、エントリ１０３１２で基本工程が選択されていない場合は、エントリ１０３１１で選択されている大分類の基本工程が選択されたものとする。エントリ１０３１１、１０３１２で基本工程が選択され、エントリ１０３１３で基本工程が選択されていない場合は、エントリ１０３１２で選択されている中分類の基本工程が選択されたものとする。エントリ１０３１１〜１０３１３で基本工程が選択され、エントリ１０３１４で基本工程が選択されていない場合は、エントリ１０３１３で選択されている小分類の基本工程が選択されたものとする。そして、全てのエントリ１０３１１〜１０３１４で基本工程が選択されている場合は、エントリ１０３１４で選択されている最小単位の基本工程が選択されたものとする。
【００７２】
工程番号入力エントリ１０３２、工程名称入力エントリ１０３３、および、公開レベル入力エントリ１０３４には、データを直接入力できる。登録ボタン１０３５は、エントリ１０３１〜１０３４を用いて特定した工程の情報を登録するためのものであり、環境負荷項目設定ボタン１０３５は、登録した工程における環境負荷項目およびＬＣＡパラメータ項目のデータ設定指示を受け付けるためのものである。
【００７３】
次に、工程情報登録処理部１０３は、工程番号管理テーブル２０４１に新たなレコードを追加し、該レコードのフィールド２０４１１に例えばログインの際にユーザから受け取った会社番号を、フィールド２０４１２〜２０４１５にＳ４０１で受け付けた工程番号、工程名称、公開レベル、および、基本工程の基本工程番号を登録する（Ｓ４０２）。
【００７４】
次に、工程情報登録処理部１０３は、入出力部３０を介してユーザより、環境負荷項目およびＬＣＡパラメータ項目のデータ設定指示を受け付けたならば（Ｓ４０３）、Ｓ４０２で工程番号管理テーブル２０４１に追加したレコードの基本工程番号をキーとして、基本工程情報管理テーブル２０２１を検索し、当該基本工程番号（大分類+中分類+小分類+最小単位）を持つレコードに登録されているＬＣＡパラメータ項目を特定する（Ｓ４０４）。同様に、当該基本工程番号をキーとして環境負荷項目管理テーブル２０５１を検索し、当該基本工程番号を持つレコード各々に登録されている環境負荷項目、単位および投入/排出区分を特定する（Ｓ４０５）。
【００７５】
それから、工程情報登録処理部１０３は、図１５に示すような、Ｓ４０４で特定したＬＣＡパラメータ項目各々の入力エントリ１０３７と、Ｓ４０５で単位および投入/排出区分と共に特定した環境負荷項目各々の入力エントリ１０３８とを有する環境項目受付画面を作成し、入出力部３０に表示する。そして、入出力部３０を介してユーザより、ＬＣＡパラメータ項目各々の設定値と、環境負荷項目各々の数量（投入量/排出量）とを受け付ける（Ｓ４０６）。
【００７６】
次に、工程情報登録処理部１０３は、工程紐付管理テーブル２０４２に新たなレコードを追加し、該レコードのフィールド２０４２１に例えばログインの際にユーザから受け取った会社番号を、フィールド２０４２２に紐付部品として選択された部品の部品・材料番号を、フィールド２０４２３にＳ４０１で受け付けた工程番号を、そして、フィールド２０４２５に、Ｓ４０６で受け付けた各ＬＣＡパラメータ項目の設定値を登録する（Ｓ４０７）。同様に、工程情報登録処理部１０３は、環境負荷管理テーブル２０５２に、Ｓ４０６で数量を受け付けた環境負荷項目毎に新たなレコードを追加する。そして、追加したレコード各々に対して、当該レコードのフィールド２０５２１に例えばログインの際にユーザから受け取った会社番号を、フィールド２０５２２にＳ４０１で受け付けた工程番号を、フィールド２０５２３に当該レコードに対応する環境負荷項目を、フィールド２０５２４にＳ４０６で受け付けた当該レコードに対応する環境負荷項目の数量を、そして、フィールド２０５２５に当該レコードに対応する環境負荷項目の投入/排出区分を登録する（Ｓ４０８）。
【００７７】
図１に戻って説明を続ける。環境負荷計算部１０４は、ユーザの指示に従い所望の工程の環境負荷に関する情報を表示する。また、所望の法規で定義されているライフサイクルのライフステージ毎に環境負荷情報を集計して法規別環境負荷記憶部２０６に登録する。
【００７８】
図１６は、環境負荷計算部１０４による環境負荷の表示・集計処理を説明するためのフロー図である。このフローは、図１１に示すような各種受付画面において、部品構成ツリー１０１１の任意の部品（製品、材料を含む）が報告対象部品として選択された状態で報告支援１０１８が選択されるか、それとも、任意の工程が表示対象工程として選択された状態で詳細表示ボタン１０１９が選択されることにより開始される。
【００７９】
まず、環境負荷計算部１０４は、入出力部３０を介してユーザより受け付けた指示が詳細表示指示であるか、それとも、報告支援指示であるかを調べる（Ｓ５０１）。図１１に示す部品構成ツリー１０１１において、任意の工程が表示対象工程として選択された状態で詳細表示ボタン１０１９が選択された場合は、詳細表示指示を受け付けたものとしてＳ５０２に進み、任意の部品が報告対象部品として選択された状態で報告支援１０１８が選択された場合は、報告支援指示を受け付けたものとしてＳ５１０に進む。
【００８０】
Ｓ５０２において、環境負荷計算部１０４は、環境負荷管理テーブル２０５２から表示対象工程の工程番号および例えばログインの際にユーザから受け取った会社番号を持つレコードを特定し、該レコードの環境負荷情報（環境負荷項目、数量、投入/排出区分）を入手する（Ｓ５０２）。次に、工程管理番号テーブル２０４１から表示対象工程の工程番号およびユーザの会社番号を持つレコードを特定し、該レコードの公開レベルが環境負荷情報（環境負荷項目、数量、投入/排出区分）の公開を許可しているか否かを判断する（Ｓ５０３）。公開を許可しているならば、Ｓ５０２で入手した環境負荷情報を入出力部３０に表示する（Ｓ５０４）。例えば図１１に示す部品構成ツリー１０１１上の表示対象工程の近くに環境負荷情報を吹出しで表示する。一方、公開を許可していないならば、工程紐付管理テーブル２０４２から表示対象工程の工程番号およびユーザの会社番号を持つレコードを特定し、該レコードに登録されているＬＣＡパラメータ値を入手する（Ｓ５０５）。また、基本工程情報管理テーブル２０２１から、Ｓ５０３で特定した工程管理番号テーブル２０４１のレコードに登録されている基本工程番号（大分類+中分類+小分類+最小単位）を持つレコードを特定し、当該レコードのＬＣＡ計算式およびＬＣＡパラメータ項目を入手する（Ｓ５０６）。それから、環境負荷計算部１０４は、Ｓ５０６で入手したＬＣＡ計算式に、Ｓ５０２、Ｓ５０５で入手した環境負荷値、ＬＣＡパラメータ値を入力して、ＬＣＡ計算を行い、ＬＣＡ値を算出する。そして、算出したＬＣＡ値を入出力部３０に表示する（Ｓ５０７）。例えば図１１に示す部品構成ツリー１０１１上の表示対象工程の近くにＬＣＡ値を吹出しで表示する。
【００８１】
一方、Ｓ５１０において、環境負荷計算部１０４は、入出力部３０を介してユーザより適用法規の指定を受け付ける。例えば、製品のライフサイクルの各ライフステージにおける環境負荷情報の報告が要求される法規をリスト表示し、その中から所望の法規をユーザに選択させる。次に、環境負荷計算部１０４は、報告対象部品を構成する部品・材料のうちの未注目の部品・材料であって、部品構成ツリー１０１１上末端側に位置する部品・材料を選択し、これを注目部品に設定する（Ｓ５１１）。次に、環境負荷計算部１０４は、工程紐付管理テーブル２０４２から、注目部品の部品・材料番号およびユーザの会社番号を持つ未特定のレコードを１つ特定し、この特定したレコードに登録されている工程を注目工程に設定する（Ｓ５１２）。それから、環境負荷計算部１０４は、環境負荷管理テーブル２０５２から、注目工程の工程番号およびユーザの会社番号を持つ未特定のレコードを１つ特定し、特定したレコードに登録されている環境負荷情報（環境負荷項目、数量、投入/排出区分）を入手する（Ｓ５１３）。また、工程番号管理テーブル２０４１を用いて注目工程に対応する基本工程を特定する。そして、ステージ定義情報管理テーブル２０７２から、適用法規およびユーザの会社番号を持ち、且つ、該基本工程を包含するステージ定義情報を持つレコードを特定し、該レコードのライフステージ番号を入手する（Ｓ５１４）。それから、環境負荷計算部１０４は、法規別環境負荷管理テーブル２０６１に新たなレコードを追加し、該レコードのフィールド２０６１１にユーザの会社番号を、フィールド２０６１２に適用法規を、フィールド２０６１３に注目部品の部品・材料番号を、フィールド２０６１４にＳ５１４で入手したライフステージ番号を、そして、フィールド２０６１５〜２０６１７に、Ｓ５１３で入手した注目工程の環境負荷情報（環境負荷項目、投入/排出区分、数量）を登録する（Ｓ５１５）。
【００８２】
さて、環境負荷計算部１０４は、環境負荷管理テーブル２０５２に、注目工程の工程番号およびユーザの会社番号を持つ未特定のレコードがあるならば、Ｓ５１３に戻り、全てのレコードが特定済みならばＳ５１７に進む（Ｓ５１６）。また、Ｓ５１７において、環境負荷計算部１０４は、工程紐付管理テーブル２０４２に、注目部品の部品・材料番号およびユーザの会社番号を持つ未特定のレコードがあるならば、Ｓ５１２に戻り、全てのレコードが特定済みならばＳ５１８に進む。さらに、Ｓ５１８において、環境負荷計算部１０４は、報告対象部品を構成する部品・材料に未注目の部品・材料があるならば、Ｓ５１１に戻り、ないならばＳ５１９に進む。
【００８３】
さて、Ｓ５１９において、環境負荷計算部１０４は、法規別環境負荷管理テーブル２０６１から、ユーザの会社番号、適用法規、および、報告対象部品あるいはその構成部品・材料の部品・材料番号を持つ全てのレコードを抽出し、抽出した各レコードを、当該レコードのライフステージ番号に基づいて分類する。それから、ライフステージ番号毎に分類されたレコードを、環境負荷項目および投入/排出区分の組合せ毎にさらに分類し、分類されたレコードに登録されている環境負荷項目の数量を集計する。そして、その集計値を、ライフステージ番号、環境負荷項目および投入/排出区分に対応付けて出力する（Ｓ５２０）。したがって、適用法規のライフサイクルを構成するライフステージ毎に、ユーザが当該ライフステージに割り当てた工程に対する環境負荷値が、環境負荷項目および投入/排出区分の組合せ毎に集計されて出力されることになる。
【００８４】
なお、上記構成の環境負荷評価支援装置１は、例えば図１７に示すような、ＣＰＵ９０１と、メモリ９０２と、ＨＤＤ等の外部記憶装置９０３と、ＣＤ-ＲＯＭやＤＶＤ-ＲＯＭやＩＣカードなどの記憶媒体からデータを読み取る読取装置９０４と、キーボードやマウスなどの入力装置９０６と、モニタやプリンタなどの出力装置９０７と、ネットワークなどに接続するための通信装置９０８と、これらの各装置を接続するバス９０９と、を備えた一般的なコンピュータシステムにおいて、ＣＰＵ９０１がメモリ９０２上にロードされたプログラムを実行することで実現できる。このプログラムは、読取装置９０４を介して記憶媒体から、あるいは、通信装置９０８を介してネットワークから、外部記憶装置９０３にダウンロードされ、それから、メモリ９０２上にロードされてＣＰＵ９０１により実行されるようにしてもよい。あるいは、外部記憶装置９０３を経由せずに、メモリ９０２上に直接ロードされ、ＣＰＵ９０１により実行されるようにしてもよい。なお、この場合において、記憶部２０には、メモリ９０２や外部記憶装置９０３が利用される。また、入出力部３０には、読取装置９０４や入力装置９０６や出力装置９０７や通信装置９０８が該当する。
【００８５】
以上、本発明の一実施形態について説明した。
【００８６】
本実施形態では、ＥｕＰ等の法規で定義されたライフサイクルの各ライフステージを、各ユーザに共通の基本工程を用いて、ユーザが独自に定義できるようにしている。また、ユーザが独自に採用する工程を、該基本工程に対応付けて管理するようにしている。このようにすることで、ライフステージの定義がメーカ毎に異なる場合でも、サプライヤが独自に採用する工程に対する環境負荷情報を、当該工程に対応するメーカが定義したライフステージに組み入れることが可能となる。したがって、製品の各ライフステージの定義がメーカ毎に異なる場合でも、サプライヤが各ライフステージにおける投入および排出のデータをメーカ毎に登録しておく必要がない。
【００８７】
また、本実施形態では、環境負荷情報の公開レベルを工程毎に設定できるようにしている。このため、ユーザの工程がある部品・材料に紐付けられた部品構成ツリーを当該ユーザ以外の第３者に表示する場合に、当該工程の環境負荷情報をそのまま表示するか、ＬＣＡ計算を行ってＬＣＡ値を表示するか、それとも、当該工程自体を非表示にするかをユーザ自身が設定することができる。したがって、サプライヤが見せたくないデータを、部品の納品先であるメーカに対しても非公開にすることができる。
【００８８】
<<第２実施形態>>
上記の第１実施形態では、ユーザ独自の工程を基本工程に１対１で対応付けておき、ユーザより受け付けた該ユーザ独自の工程での環境負荷情報を、当該工程に対応する基本工程での環境負荷情報として管理する。これに対して、本発明の第２実施形態では、ユーザ独自の工程を使用しない。基本工程での環境負荷情報をユーザより直接受付けて管理する。このため、本実施形態の環境負荷評価支援装置は、図１に示す第１実施形態の環境負荷評価支援装置１に対して、次の点で異なる。
【００８９】
１．工程情報記録部２０４
本実施形態の工程情報記憶部２０４は、図１８（Ａ）に示す工程番号管理テーブル２０４１Ａと、図１８（Ｂ）に示す工程紐付管理テーブル２０４２Ａと、を有する。
【００９０】
工程番号管理テーブル２０４１Ａの各レコードは、基本工程の工程情報を登録する会社の会社番号を登録するフィールド２０４１１と、該基本工程の公開レベルを登録するフィールド２０４１４と、該基本工程の基本工程番号を登録するフィールド２０４１５と、を有する。上述したように、本実施形態では、ユーザ独自の工程を使用しない。基本工程での環境負荷情報をユーザより直接受け付けて管理する。したがって、図５（Ａ）に示す工程番号管理テーブル２０４１のレコードと異なり、ユーザ独自の工程番号、工程名称を登録するフィールド２０４１２、２０４１は、設けられていない。
【００９１】
また、工程紐付管理テーブル２０４２Ａの各レコードが、図５（Ｂ）に示す工程番号管理テーブル２０４１の各レコードと異なる点は、ユーザ独自の工程の工程番号を登録するフィールド２０４２３に代えて、基本工程の基本工程番号を登録するフィールド２０４２６が設けられている点である。その他は、図５（Ｂ）に示す工程番号管理テーブル２０４１の各レコードと同様である。
【００９２】
２．工程環境負荷記憶部２０５
本実施形態の環境負荷情報記憶部２０５は、図６（Ａ）に示す環境負荷項目管理テーブル２０５１と、図１９に示す環境負荷管理テーブル２０５２Ａと、を有する。
【００９３】
環境負荷管理テーブル２０５２Ａの各レコードが、図６（Ｂ）に示す環境負荷管理テーブル２０５２の各レコードと異なる点は、ユーザ独自の工程の工程番号を登録するフィールド２０５２２に代えて、基本工程の基本工程番号を登録するフィールド２０５２６が設けられている点である。その他は、図６（Ｂ）に示す環境負荷管理テーブル２０５２の各レコードと同様である。
【００９４】
３．部品構成ツリー表示部１０１
図１０に示す部品構成ツリー表示処理のＳ２０４において、構成ツリー表示処理部１０１は、工程紐付管理テーブル２０４２Ａを用いて、選択部品を構成する各部品・材料に紐付けられている基本工程を特定する（Ｓ２０４）。具体的には、Ｓ２０３で特定した部品構成ツリーに属する全ての部品・材料の各々について、当該部品・材料が紐付部品として登録されているレコードを、工程紐付管理テーブル２０４２Ａから検索する。検索できたならば、当該部品・材料と、該レコードに登録されている基本工程（基本工程番号をキーとして工程番号管理テーブル２０４１Ａおよび基本工程情報管理テーブル２０２１を検索することによりその詳細情報を特定できる）とを、生産関係を示す生産線で連結する。
【００９５】
また、Ｓ２０５において、構成ツリー表示処理部１０１は、部品構成ツリーおよび部品構成ツリーを構成する部品・材料に紐付ける基本工程を特定したならば、これらの内容に基づいて基本工程が紐付けられた部品構成ツリー図を作成する。ここで、部品・材料に紐付ける基本工程各々について、工程番号管理テーブル２０４１Ａに登録されている当該基本工程のレコードが、例えばログインの際にユーザから受け取った会社番号と異なる会社番号を持つ場合、つまり、当該基本工程が自社以外の会社の基本工程である場合、当該基本工程のレコードに登録されている公開レベルが、基本工程名称を表示できるレベルに設定されているか否かを調べる。そして、基本工程名称を表示できるレベルに設定されていない場合は、当該基本工程の部品構成ツリー図における表示属性を非表示に変更する。このようにすることで、当該基本工程を行う会社以外のユーザに対しては、当該基本工程が部品構成ツリー図に表示されないようする。
【００９６】
また、Ｓ２０６において、構成ツリー表示処理部１０１は、基本工程が紐付けられた部品構成ツリー図を含む各種設定受付画面（部品情報登録指示、工程情報登録指示、環境負荷設定指示の受付画面）を作成し、入出力部３０に表示する。
【００９７】
図２０は最終製品メーカＡが全自動洗濯機（ＡＡ-８Ｓ-Ｃ００１）を選択した場合に入出力部３０に表示される各種受付画面の例を示す図である。図示するように、本実施形態の各種受付画面は、図１１に示す第１実施形態の各種受付画面と基本的に同様であるが、工程の情報として、メーカおよびサプライヤ各々が独自に定義した工程の情報ではなく、メーカおよびサプライヤ各々に共通する基本工程の情報が表示される（１０１１Ａ、１０１２Ａ、１０１３Ａ）。
【００９８】
４．工程情報登録処理部１０３
図１３に示す工程情報登録処理のＳ４０１において、工程情報登録処理部１０３は、図２１に示すような工程情報受付画面を入出力部３０に表示する。そして、入出力部３０を介してユーザより、登録する基本工程の基本工程番号および公開レベルを受け付ける。なお、上述したように、本実施形態では、ユーザ独自の工程を使用しない。基本工程での環境負荷情報をユーザより直接受付けて管理する。このため、図２１に示す工程情報受付画面は、図１４に示す第１実施形態の工程情報受付画面から、工程番号入力エントリ１０３２および工程名称入力エントリ１０３３が省略されている。
【００９９】
また、Ｓ４０２において、工程情報登録処理部１０３は、工程番号管理テーブル２０４１Ａに新たなレコードを追加し、該レコードのフィールド２０４１１に例えばログインの際にユーザから受け取った会社番号を、フィールド２０４１４、２０４１５にＳ４０１で受け付けた公開レベルおよび基本工程の基本工程番号を登録する。
【０１００】
また、Ｓ４０６において、工程情報登録処理部１０３は、図２２に示すような環境項目受付画面を作成し、入出力部３０に表示する。そして、入出力部３０を介してユーザより、ＬＣＡパラメータ項目各々の設定値と、環境負荷項目各々の数量（投入量/排出量）とを受け付ける。上述したように、本実施形態では、ユーザ独自の工程を使用しない。基本工程での環境負荷情報をユーザより直接受け付けて管理する。このため、図２２に示す環境項目受付画面では、ユーザ独自の工程名称を表示する代わりに、基本工程の基本工程名称１０３７Ａおよび基本工程番号１０３７Ｂが表示される。この点において、図１５に示す第１実施形態の環境項目受付画面と異なる。
【０１０１】
また、Ｓ４０７において、工程情報登録処理部１０３は、工程紐付管理テーブル２０４２Ａに新たなレコードを追加し、該レコードのフィールド２０４２１に例えばログインの際にユーザから受け取った会社番号を、フィールド２０４２２に紐付部品として選択された部品の部品・材料番号を、フィールド２０４２６にＳ４０１で受け付けた基本工程番号を、そして、フィールド２０４２５に、Ｓ４０６で受け付けた各ＬＣＡパラメータ項目の設定値を登録する。
【０１０２】
また、Ｓ４０８において、工程情報登録処理部１０３は、環境負荷管理テーブル２０５２Ａに、Ｓ４０６で数量を受け付けた環境負荷項目毎に新たなレコードを追加する。そして、追加したレコード各々に対して、当該レコードのフィールド２０５２１に例えばログインの際にユーザから受け取った会社番号を、フィールド２０５２６にＳ４０１で受け付けた基本工程番号を、フィールド２０５２３に当該レコードに対応する環境負荷項目を、フィールド２０５２４にＳ４０６で受け付けた当該レコードに対応する環境負荷項目の数量を、そして、フィールド２０５２５に当該レコードに対応する環境負荷項目の投入/排出区分を登録する。
【０１０３】
５．環境負荷計算部１０４
図１６に示す環境負荷表示・集計処理のＳ５０２において、環境負荷計算部１０４は、環境負荷管理テーブル２０５２Ａから表示対象工程の基本工程番号および例えばログインの際にユーザから受け取った会社番号を持つレコードを特定し、該レコードの環境負荷情報（環境負荷項目、数量、投入/排出区分）を入手する。
【０１０４】
また、Ｓ５０３において、環境負荷計算部１０４は、工程管理番号テーブル２０４１Ａから表示対象工程の基本工程番号およびユーザの会社番号を持つレコードを特定し、該レコードの公開レベルが環境負荷情報（環境負荷項目、数量、投入/排出区分）の公開を許可しているか否かを判断する。
【０１０５】
また、Ｓ５０５において、環境負荷計算部１０４は、工程紐付管理テーブル２０４２Ａから表示対象工程の基本工程番号およびユーザの会社番号を持つレコードを特定し、該レコードに登録されているＬＣＡパラメータ値を入手する。
【０１０６】
また、Ｓ５０６において、環境負荷計算部１０４は、基本工程情報管理テーブル２０２１から、表示対象工程の基本工程番号を持つレコードを特定し、当該レコードのＬＣＡ計算式およびＬＣＡパラメータ項目を入手する。
【０１０７】
また、Ｓ５１２において、環境負荷計算部１０４は、工程紐付管理テーブル２０４２Ａから、注目部品の部品・材料番号およびユーザの会社番号を持つ未特定のレコードを１つ特定し、この特定したレコードに登録されている基本工程を注目工程に設定する。
【０１０８】
また、Ｓ５１３において、環境負荷計算部１０４は、環境負荷管理テーブル２０５２Ａから、注目工程の基本工程番号およびユーザの会社番号を持つ未特定のレコードを１つ特定し、特定したレコードに登録されている環境負荷情報（環境負荷項目、数量、投入/排出区分）を入手する。
【０１０９】
また、Ｓ５１４において、環境負荷計算部１０４は、ステージ定義情報管理テーブル２０７２から、適用法規およびユーザの会社番号を持ち、且つ、注目工程の基本工程番号を包含するステージ定義情報を持つレコードを特定し、該レコードのライフステージ番号を入手する。
【０１１０】
以上、本発明の第２実施形態について説明した。
【０１１１】
本実施形態では、ＥｕＰ等の法規で定義されたライフサイクルの各ライフステージを、各ユーザに共通の基本工程を用いて、ユーザが独自に定義できるようにしている。このようにすることで、ライフステージの定義がメーカ毎に異なる場合でも、サプライヤが、基本工程に対する環境負荷情報を、メーカが定義した当該基本工程に対応するライフステージに組み入れることが可能となる。したがって、製品の各ライフステージの定義がメーカ毎に異なる場合でも、サプライヤが各ライフステージにおける投入および排出のデータをメーカ毎に登録しておく必要がない。
【０１１２】
また、本実施形態は、第１実施形態と同様に、サプライヤが見せたくないデータを、部品の納品先であるメーカに対しても非公開にすることができる。
【０１１３】
<<第３実施形態>>
上記の第２実施形態では、ユーザより環境負荷情報を基本工程毎に受け付けるようにしている。これに対して、本発明の第３実施形態では、ユーザより環境負荷情報を基本工程毎および部品毎のいずれでも受け付けられるようにしている。このため、本実施形態の環境負荷評価支援装置は、第２実施形態の環境負荷評価支援装置に対し次の点で異なる。
【０１１４】
１．部品情報登録処理部１０２
本実施形態の部品情報登録処理部１０２は、上述の部品情報登録処理（図１２参照）に加えて、部品の環境負荷情報を登録する部品環境負荷情報登録処理を行う。
【０１１５】
図２３は、部品情報登録処理部１０２による部品環境負荷情報登録処理を説明するためのフロー図である。このフローは、図１１に示すような各種受付画面において、図示していない部品環境負荷情報登録ボタンが選択されることにより開始される。
【０１１６】
先ず、部品情報登録処理部１０２は、環境負荷項目を登録する部品を指定するための部品指定画面を作成し、入出力部３０に表示する。そして、入出力部３０を介してユーザより、環境負荷項目を登録する部品の会社番号、部品・材料番号および部品名称を受け付ける（Ｓ６０１）。
【０１１７】
図２４は部品指定画面の一例を示す図である。図示するように、部品指定画面は、部品の情報を直接指定する場合に選択するチェックボックス１０２１と、部品の情報を部品番号管理テーブル２０３１から検索する場合に選択するチェックボックス１０２３と、チェックボックス１０２１にチェックが入れられている場合に、部品の会社番号、部品・材料番号および部品名称を入力するための入力エントリ１０２２と、チェックボックス１０２３にチェックが入れられている場合に、プルダウンメニューにより部品情報管理テーブル２０３１から部品の会社番号、部品・材料番号および部品名称を選択するための選択エントリ１０２４と、登録ボタン１０２５と、環境負荷項目設定指示ボタン１０２６と、を有する。環境負荷項目設定ボタン１０２６は、この部品指定画面で指定された部品の環境負荷項目のデータ設定指示を受け付けるためのものであり、登録ボタン１０２５は、この部品指定画面で指定された部品の環境負荷項目のデータ設定指示を環境負荷管理テーブル２０５２に登録するためのものである。
【０１１８】
ユーザは、入出力部３０を介して、チェックボックス１０２１、１０２３のいずれかにチェックを入れる。チェックボックス１０２１にチェックを入れた場合は、入力エントリ１０２２に、部品の会社番号、部品・材料番号および部品名称を直接入力する。一方、チェックボックス１０２３にチェックを入れた場合は、選択エントリ１０２４を使って部品の会社番号、部品・材料番号および部品名称を選択する。その後、ユーザが環境負荷項目設定指示ボタン１０２６を選択すると、部品情報登録処理部１０２は、これを検知する（Ｓ６０２）。そして、図２５に示すような、部品指定画面で指定された部品の部品名称および部品・材料番号を表示する表示欄１０２７と、納品先会社の会社番号、適用法規およびライフステージ番号を選択するエントリ１０２８と、予め設定された全ての環境負荷項目のエントリ１０２９と、を有する環境項目受付画面を作成し、入出力部３０に表示する（Ｓ６０３）。そして、入出力部３０を介してユーザより、納品先会社の会社番号、適用法規およびライフステージ番号と、該当する環境負荷項目各々の数量（投入量/排出量）とを受け付ける（Ｓ６０４）。
【０１１９】
次に、部品情報登録処理部１０２は、ステージ定義情報管理テーブル２０７２から、Ｓ６０４で受け付けた納品先会社の会社番号およびライフステージ番号を持つレコードを検索し、該レコードに登録されているステージ定義情報を特定する。そして、特定したステージ定義情報に記述されている最も上位の分類に属する基本工程番号を特定する（Ｓ６０５）。それから、部品情報登録処理部１０２は、環境負荷管理テーブル２０５２Ａに、Ｓ６０４で数量を受け付けた環境負荷項目毎に新たなレコードを追加する。そして、追加したレコード各々に対して、当該レコードのフィールド２０５２１にＳ６０４で受け付けた納品先会社の会社番号を、フィールド２０５２６にＳ６０５で特定した基本工程番号を、フィールド２０５２３に当該レコードに対応する環境負荷項目を、フィールド２０５２４にＳ６０４で受け付けた当該レコードに対応する環境負荷項目の数量を、そして、フィールド２０５２５に当該レコードに対応する環境負荷項目の投入/排出区分を登録する（Ｓ６０５）。
【０１２０】
以上、本発明の第３実施形態について説明した。
【０１２１】
本実施形態によれば、上記の第２実施形態に加えて次の効果を有する。すなわち、サプライヤは、自社製品がどの基本工程に紐付けられるか不明の場合でも、該部品がどのライフステージに組み入れられるものかが分かれば、自社製品の環境負荷情報を環境負荷管理テーブル２０５２Ａに登録することができる。
【０１２２】
<<第４実施形態>>
上記の第１実施形態では、ユーザ独自の工程を基本工程に１対１で対応付けておき、ユーザより受け付けた該ユーザ独自の工程での環境負荷情報を、当該工程に対応する基本工程での環境負荷情報として管理する。ユーザより環境負荷情報を基本工程毎に受け付けるようにしている。これに対して、本発明の第４実施形態では、どの基本工程にも属さない新規工程をユーザが定義して、第３実施形態で上述している部品環境情報登録処理によって新規工場の環境負荷情報を受け付けられるようにしている。このため、本実施形態の環境負荷評価支援装置は、第１実施形態の環境負荷評価支援装置に対し次の点で異なる。
【０１２３】
１．工程情報登録処理部１０３
本実施形態の工程情報登録処理部１０３は、上述の工程情報登録処理（図１３参照）に加えて、上述の部品環境情報登録処理(図２３のＳ６０３〜Ｓ６０６)を行う。
部品環境情報登録処理のフローは図１４に示すような工程情報受付画面において、新規工程として識別される基本工程を選択し、工程番号、工程名称、公開レベルの入力を行い、図示していない新規工程環境負荷項目設定ボタンを選択することにより開始される。
【０１２４】
工程情報登録処理部１０３は、図２５に示すような、会社番号、適用法規およびライフステージ番号を選択するエントリ１０２８と、予め設定された全ての環境負荷項目のエントリ１０２９と、を有する環境項目受付画面を作成し、入出力部３０に表示する（Ｓ６０３）。そして、入出力部３０を介してユーザより、会社番号、適用法規およびライフステージ番号と、該当する環境負荷項目各々の数量（投入量/排出量）とを受け付ける（Ｓ６０４）。
【０１２５】
次に、工程情報登録処理部１０３は、ステージ定義情報管理テーブル２０７２から、Ｓ７０１で受け付けた会社番号およびライフステージ番号を持つレコードを検索し、該レコードに登録されているステージ定義情報を特定する。そして、特定したステージ定義情報に記述されている最も上位の分類に属する基本工程番号を特定する（Ｓ６０５）。それから、工程情報登録処理部１０３は、環境負荷管理テーブル２０５２Ａに、Ｓ７０２で数量を受け付けた環境負荷項目毎に新たなレコードを追加する。そして、追加したレコード各々に対して、当該レコードのフィールド２０５２１にＳ７０２で受け付けた会社番号を、フィールド２０５２６にＳ７０３で特定した基本工程番号を、フィールド２０５２３に当該レコードに対応する環境負荷項目を、フィールド２０５２４にＳ７０２で受け付けた当該レコードに対応する環境負荷項目の数量を、そして、フィールド２０５２５に当該レコードに対応する環境負荷項目の投入/排出区分を登録する（Ｓ６０６）。
【０１２６】
以上、本発明の第４実施形態について説明した。
【０１２７】
本実施形態によれば、上記の第１実施形態に加えて次の効果を有する。すなわち、サプライヤはどの基本工程にも定義されない新規工程について、該部品がどのライフステージに組み入れられるものかが分かれば、該環境負荷情報を環境負荷管理テーブル２０５２Ａに登録することができる。
【０１２８】
以上、本発明の各実施形態について説明した。
【０１２９】
なお、本発明は上記の実施形態に限定されるものではなく、その要旨の範囲内で数々の変形が可能である。例えば、上記の実施形態において、入出力部３０は、ネットワークを介してユーザの端末に接続されていてもよい。そして、ユーザの端末から各種指示を受け付けたり、ユーザの端末に各種情報を表示するようにしてもよい。また、上記の実施形態において、記憶部２０１〜２０７は、必ずしも１つのコンピュータ装置に備えられているものである必要はなく、ネットワーク上に分散配置されているものであってもよい。同様に、演算部１０の各部１０１〜１０５も、複数のコンピュータ装置によって実現されるものであってもよい。
【図面の簡単な説明】
【０１３０】
【図１】図１は本発明の第１実施形態の環境負荷評価支援装置を示す概略図である。
【図２】図２（Ａ）は会社番号管理テーブル２０１１を示す図であり、図２（Ｂ）はサプライ関係管理テーブル２０１２を示す図である。
【図３】図３（Ａ）は基本工程情報管理テーブル２０２１を示す図であり、図３（Ｂ）は基本工程情報管理テーブル２０２１から把握できる基本工程間の親子関係を表したツリー図である。
【図４】図４（Ａ）は部品番号管理テーブル２０３１を示す図であり、図４（Ｂ）は部品構成管理テーブル２０３２を示す図である。
【図５】図５（Ａ）は工程番号管理テーブル２０４１を示す図であり、図５（Ｂ）は工程紐付管理テーブル２０４２を示す図である。
【図６】図６（Ａ）は環境負荷項目管理テーブル２０５１を示す図であり、図６（Ｂ）は環境負荷管理テーブル２０５２を示す図である。
【図７】図７は法規別環境負荷管理テーブル２０６１を示す図である。
【図８】図８（Ａ）はステージ番号管理テーブル２０７１を示す図であり、図８（Ｂ）はステージ定義情報管理テーブル２０７２を示す図である。
【図９】図９はライフステージ定義情報登録処理部１０５によるライフステージ定義情報の登録処理を説明するためのフロー図である。
【図１０】図１０は構成ツリー表示処理部１０１による部品構成ツリーの表示処理を説明するためのフロー図である。
【図１１】図１１は本発明の第１実施形態において、最終製品メーカＡが全自動洗濯機（ＡＡ-８Ｓ-Ｃ００１）を選択した場合に入出力部３０に表示される各種受付画面の例を示す図である。
【図１２】図１２は部品情報登録処理部１０２による部品情報の登録処理を説明するためのフロー図である。
【図１３】図１３は工程情報登録処理部１０３による工程情報の登録処理を説明するためのフロー図である。
【図１４】図１４は本発明の第１実施形態における工程情報受付画面の一例を示す図である。
【図１５】図１５は本発明の第１実施形態における環境項目受付画面の一例を示す図である。
【図１６】図１６は環境負荷計算部１０４による環境負荷の表示・集計処理を説明するためのフロー図である。
【図１７】図１７は環境負荷評価支援装置１のハードウエア構成例を示す図である。
【図１８】図１８（Ａ）は工程番号管理テーブル２０４１Ａを示す図であり、図１８（Ｂ）は工程紐付管理テーブル２０４２Ａを示す図である。
【図１９】図１９は環境負荷管理テーブル２０５２Ａを示す図である。
【図２０】図２０は本発明の第２実施形態において、最終製品メーカＡが全自動洗濯機（ＡＡ-８Ｓ-Ｃ００１）を選択した場合に入出力部３０に表示される各種受付画面の例を示す図である。
【図２１】図２１は本発明の第２実施形態における工程情報受付画面の一例を示す図である。
【図２２】図２２は本発明の第２実施形態における環境項目受付画面の一例を示す図である。
【図２３】図２３は部品情報登録処理部１０２による部品環境負荷情報登録処理を説明するためのフロー図である。
【図２４】図２４は本発明の第３実施形態における部品指定画面の一例を示す図である。
【図２５】図２５は本発明の第３実施形態における環境項目受付画面の一例を示す図である。
【符号の説明】
【０１３１】
１：環境負荷評価支援装置、１０：演算部、２０：記憶部、３０：入出力部、１０１：構成ツリー表示処理部、１０２：部品情報登録処理部、１０３：工程情報登録処理部、１０４：環境負荷計算部、１０５：ステージ定義情報登録処理部、２０１：会社情報記憶部、２０２：基本工程情報記憶部、２０３：部品情報記憶部、２０４：工程情報記憶部、２０５：工程環境負荷記憶部、２０６：法規別環境負荷記憶部、２０７：ライフステージ定義情報記憶部
【図１】
2006127482.tif 000003
【図２】
2006127482.tif 000004
【図３】
2006127482.tif 000005
【図４】
2006127482.tif 000006
【図５】
2006127482.tif 000007
【図６】
2006127482.tif 000008
【図７】
2006127482.tif 000009
【図８】
2006127482.tif 000010
【図９】
2006127482.tif 000011
【図１０】
2006127482.tif 000012
【図１１】
2006127482.tif 000013
【図１２】
2006127482.tif 000014
【図１３】
2006127482.tif 000015
【図１４】
2006127482.tif 000016
【図１５】
2006127482.tif 000017
【図１６】
2006127482.tif 000018
【図１７】
2006127482.tif 000019
【図１８】
2006127482.tif 000020
【図１９】
2006127482.tif 000021
【図２０】
2006127482.tif 000022
【図２１】
2006127482.tif 000023
【図２２】
2006127482.tif 000024
【図２３】
2006127482.tif 000025
【図２４】
2006127482.tif 000026
【図２５】
2006127482.tif 000027